(57)【要約】  センサは、デバイスの少なくとも１つの動作条件を決定するように構成され、セレクタは、動作条件に基づいて、デバイスのためのオーディオ・コーディング処理を選択するように構成される。動作条件は、デバイスの残りのバッテリ寿命及び／又は周囲雑音レベルを含むことができる。選択されたオーディオ・コーディング処理は、オーディオ処理中、別の可能なオーディオ・コーディング処理よりも少ない電力を消費しうる。オーディオは、音声及び／又はオーディオの再生、例えば音楽の再生を含むことができる。
2012516471.tif 000002
【特許請求の範囲】
【請求項１】
デバイスの少なくとも１つの動作条件を決定するように構成されたセンサと、
前記動作条件に基づいてデバイスのための第１のオーディオ・コーディング処理を選択するように構成されたセレクタと
を備え、前記第１のオーディオ・コーディング処理は、前記デバイスにおけるオーディオ処理中、第２のオーディオ・コーディング処理よりも少ない電力を消費する装置。
【請求項２】
前記動作条件は、バッテリ・エネルギ残量、前記デバイスにおいて測定された周囲雑音レベル、又は前記バッテリ・エネルギ残量と前記周囲雑音レベルとの組み合わせに基づく、請求項１に記載の装置。
【請求項３】
前記動作条件は、前記周囲雑音レベルと、少なくとも１つの閾値雑音レベルとの比較に基づく、請求項２に記載の装置。
【請求項４】
前記動作条件は、信号対雑音比（ＳＮＲ）に基づく、請求項１に記載の装置。
【請求項５】
オーディオ・ストリームにおける１つ又は複数の境界を検出するように構成された検出器
を更に備え、
前記セレクタは更に、前記境界のうちの１つにおいて前記第１のオーディオ・コーデックに切り換えるように構成された、請求項１に記載の装置。
【請求項６】
前記境界は、サイレンス期間を含む、請求項５に記載の装置。
【請求項７】
前記動作条件を別のデバイスへ転送するように構成された、前記デバイス内に含まれるインタフェースを更に備える、請求項１に記載の装置。
【請求項８】
前記センサ及び前記セレクタは前記デバイス内に含まれる、請求項１に記載の装置。
【請求項９】
前記センサは前記デバイス内に含まれ、前記セレクタは無線通信デバイス内に含まれる、請求項１に記載の装置。
【請求項１０】
前記デバイスは無線ヘッドセットである、請求項１に記載の装置。
【請求項１１】
デバイスの少なくとも１つの動作条件を決定することと、
前記動作条件に基づいて前記デバイスのための第１のオーディオ・コーディング処理を選択することと
を備え、前記第１のオーディオ・コーディング処理は、前記デバイスにおけるオーディオ処理中、第２のオーディオ・コーディング処理よりも少ない電力を消費する方法。
【請求項１２】
バッテリ・エネルギ残量を測定することを更に備え、前記動作条件は、前記バッテリ・エネルギ残量に基づく、請求項１１に記載の方法。
【請求項１３】
周囲雑音レベルを測定することを更に備え、前記動作条件は、前記周囲雑音レベルに基づく、請求項１１に記載の方法。
【請求項１４】
バッテリ・エネルギ残量を測定することと、
周囲雑音レベルを測定することと
を更に備え、前記動作条件は、前記バッテリ・エネルギ残量と前記周囲雑音レベルとに基づく、請求項１１に記載の方法。
【請求項１５】
周囲雑音レベルを測定することと、
オーディオ信号を測定することと
を更に備え、前記動作条件は、前記オーディオ信号と前記周囲雑音レベルとの信号対雑音比（ＳＮＲ）に基づく、請求項１１に記載の方法。
【請求項１６】
オーディオ・ストリームにおける１つ又は複数の境界を検出することと、
前記境界のうちの１つにおいて前記第１のオーディオ・コーデックに切り換えることと
を更に備える、請求項１１に記載の方法。
【請求項１７】
前記境界はサイレンス期間を含む、請求項１６に記載の方法。
【請求項１８】
前記デバイスから別のデバイスへ前記動作条件を転送することを更に備える、請求項１１に記載の方法。
【請求項１９】
前記デバイスは無線ヘッドセットである、請求項１１に記載の方法。
【請求項２０】
デバイスにおける周囲雑音レベルを決定するための手段と、
前記周囲雑音レベルに基づいて、複数のオーディオ・コーディング・スキームから、前記デバイスのためのオーディオ・コーディング処理を選択するための手段と
を備える装置。
【請求項２１】
デバイスのバッテリ・エネルギ残量を測定するための手段を更に備え、前記オーディオ・コーディング処理を選択することは、前記デバイスのバッテリ・エネルギ残量に基づく、請求項２０に記載の装置。
【請求項２２】
前記周囲雑音レベルを測定するための手段を更に備える、請求項２０に記載の装置。
【請求項２３】
デバイスのバッテリ・エネルギ残量を測定するための手段と、
前記周囲雑音レベルを測定するための手段と
を更に備え、前記オーディオ・コーディング処理を選択することは、前記デバイスのバッテリ・エネルギ残量と前記周囲雑音レベルとに基づく、請求項２０に記載の装置。
【請求項２４】
前記周囲雑音レベルを測定するための手段と、
オーディオ信号を測定するための手段と
を更に備え、前記オーディオ・コーディング処理を選択することは、前記オーディオ信号と前記周囲雑音レベルとの信号対雑音比（ＳＮＲ）に基づく、請求項２０に記載の装置。
【請求項２５】
オーディオ・ストリームにおける１つ又は複数の境界を検出するための手段と、
前記境界のうちの１つにおいて第１のオーディオ・コーデックに切り換えるための手段と
を更に備える、請求項２０に記載の装置。
【請求項２６】
前記境界はサイレンス期間を含む、請求項２５に記載の装置。
【請求項２７】
前記デバイスから別のデバイスへ前記周囲雑音レベルを転送するための手段を更に備える、請求項２０に記載の装置。
【請求項２８】
前記デバイスは無線ヘッドセットである、請求項２０に記載の装置。
【請求項２９】
１つ又は複数のプロセッサによって実行可能な命令のセットを組み込むコンピュータ読取可能媒体であって、
デバイスの少なくとも１つの動作条件を決定するためのコードと、
前記動作条件に基づいて前記デバイスのための第１のオーディオ・コーディング処理を選択するためのコードと
を備え、前記第１のオーディオ・コーディング処理は、前記デバイスにおけるオーディオ処理中、第２のオーディオ・コーディング処理よりも少ない電力を消費するコンピュータ読取可能媒体。
【請求項３０】
バッテリ・エネルギ残量を測定するためのコードを更に備え、前記動作条件は、前記バッテリ・エネルギ残量に基づく、請求項２９に記載のコンピュータ読取可能媒体。
【請求項３１】
周囲雑音レベルを測定するためのコードを更に備え、前記動作条件は、前記周囲雑音レベルに基づく、請求項２９に記載のコンピュータ読取可能媒体。
【請求項３２】
バッテリ・エネルギ残量を測定するためのコードと、
周囲雑音レベルを測定するためのコードと
を更に備え、前記動作条件は、前記バッテリ・エネルギ残量と前記周囲雑音レベルとに基づく、請求項２９に記載のコンピュータ読取可能媒体。
【請求項３３】
周囲雑音レベルを測定するためのコードと、
オーディオ信号を測定するためのコードと
を更に備え、前記動作条件は、前記オーディオ信号と前記周囲雑音レベルとの信号対雑音比（ＳＮＲ）に基づく、請求項２９に記載のコンピュータ読取可能媒体。
【請求項３４】
オーディオ・ストリームにおける１つ又は複数の境界を検出するためのコードと、
前記境界のうちの１つにおいて前記第１のオーディオ・コーデックに切り換えるためのコードと
を更に備える、請求項２９に記載のコンピュータ読取可能媒体。
【請求項３５】
前記境界はサイレンス期間を含む、請求項３４に記載のコンピュータ読取可能媒体。
【請求項３６】
前記デバイスから別のデバイスへ前記動作条件を転送するためのコードを更に備える、請求項２９に記載のコンピュータ読取可能媒体。
【請求項３７】
前記デバイスは無線ヘッドセットである、請求項２９に記載のコンピュータ読取可能媒体。
【発明の詳細な説明】
【技術分野】
【０００１】
本開示は、一般に、オーディオ通信に関し、特に、符号化及び／又は圧縮されたオーディオに関する。
【背景技術】
【０００２】
様々なオーディオ・コーディング技術が知られている。一般に、一時的なオーディオ・コーディングは、オリジナルのオーディオ信号に対する符号化オーディオの忠実度を維持しようと試みながら、オーディオを表すデジタル信号のサイズ、すなわち帯域幅を低減するためにデジタル化オーディオを処理することを含む。オーディオ・コーディング処理はしばしばオーディオ圧縮と称され、コーディング処理自体はしばしば、オーディオ・コーデックと称されるデバイス内に存在する。オーディオ・コーディング処理は、符号化動作及び／又は復号動作を含むことができる。
【０００３】
損失性（lossy）アルゴリズムと呼ばれるいくつかのオーディオ・コーディング・アルゴリズムは、帯域幅を低減するためにオーディオ信号から情報を取り除く。しかし、オーディオ情報の除去によってしばしば、符号化されたオーディオ信号に雑音が加わる。無損失（lossless）アルゴリズムと呼ばれる他のタイプのオーディオ・コーディング・アルゴリズムは、高度な信号処理技術を用いて、オーディオ信号から重複する情報のみを取り除く。これらのタイプのアルゴリズムは一般に、処理されたオーディオ信号内に雑音を引き起こさないので、より高品質な符号化オーディオ信号が生成される。
【０００４】
簡略に上述したように、様々なタイプのオーディオ・コーディング処理が、オーディオ品質、処理の複雑性、圧縮レート、電力消費、処理レイテンシ等である異なる特性を有する。いくつかの環境において、異なるオーディオ・コーディング処理の中から選択し、その特性における差異の利点を利用することができるデバイスを有することが望ましいであろう。
【発明の開示】
【０００５】
例えば無線ヘッドセット又はスピーカのようなポータブル・デバイスは、通常、小さいサイズであるために電力が制限される。本明細書において開示されるのは、特に、ポータブル・デバイスが異なるオーディオ・コーディング処理の中から選択することを可能にすることにより、ポータブル・デバイスにおける電力消費を低減する、新規かつ他に類を見ない技術である。
【０００６】
本開示の１つの態様によると、装置は、デバイスの少なくとも１つの動作条件を決定するように構成されたセンサと、動作条件に基づいてデバイスのための第１のオーディオ・コーディング処理を選択するように構成されたセレクタとを含む。第１のオーディオ・コーディング処理は、オーディオの処理中、デバイスに、第２のオーディオ・コーディング処理よりも少ない電力しか消費させない。オーディオは、例えば音楽の再生のような、音声及び／又はオーディオの再生を含むことができる。
【０００７】
本開示の別の態様によると、方法は、デバイスの少なくとも１つの動作条件を決定することと、動作条件に基づいて、デバイスのための第１のオーディオ・コーディング処理を選択することとを備える。第１のオーディオ・コーディング処理は、オーディオの処理中、デバイスに、第２のオーディオ・コーディング処理よりも少ない電力しか消費させない。
【０００８】
本開示の別の態様によると、装置は、デバイスにおける周囲雑音レベルを決定するための手段と、周囲雑音レベルに基づいて、複数のオーディオ・コーディング処理からデバイスのためのオーディオ・コーディング処理を選択するための手段とを含む。
【０００９】
本開示の更なる態様によると、１つ又は複数のプロセッサによって実行可能な命令のセットを組み込むコンピュータ読取可能媒体は、デバイスの少なくとも１つの動作条件を決定するためのコードと、動作条件に基づいてデバイスのための第１のオーディオ・コーディング処理を選択するためのコードとを含む。第１のオーディオ・コーディング処理は、デバイスに、第２のオーディオ・コーディング処理よりも少ない電力しか消費させない。
【００１０】
他の態様、特徴、処理、及び利点が、以下の詳細な説明及び図面の考察により、当業者には明らかとなるであろう。そのような更なる特徴、態様、処理、及び利点の全ては、本明細書に含まれ、特許請求の範囲によって保護されることが意図される。
【００１１】
図面は、例示の目的のみのためであることが理解されるべきである。更に、図面における構成要素は、本明細書に記載される技術及びデバイスの原理を示す場合、必ずしも正しく拡大縮小されてはいない。図面において、異なる図を通して、同様の参照番号は対応する部分を示す。
【図面の簡単な説明】
【００１２】
【図１】図１は、無線ヘッドセットを含む典型的な通信システムを示す図である。
【図２】図２は、無線ヘッドセットのある構成要素を示すブロック図である。
【図３】図３は、第１の無線ヘッドセット・システムのある構成要素を示すブロック図である。
【図４】図４は、第２の無線ヘッドセット・システムのある構成要素を示すブロック図である。
【図５】図５は、第３の無線ヘッドセット・システムのある構成要素を示すブロック図である。
【図６】図６は、無線ヘッドセットのためのオーディオ・コーディング処理を選択する第１の方法を示すフローチャートである。
【図７】図７は、無線ヘッドセットのためのオーディオ・コーディング処理を選択する第２の方法を示すフローチャートである。
【図８】図８は、通常のヘッドセット・バッテリ寿命を示すグラフである。
【図９】図９は、通常の及び延長されたヘッドセット・バッテリ寿命を示すグラフであり、延長されたバッテリ寿命は、低電力オーディオ・コーディングへの切換えにより生じる。
【図１０】図１０は、無線ヘッドセットのためのオーディオ・コーディング処理を選択する第３の方法を示すフローチャートである。
【図１１】図１１は、周囲雑音レベルに基づくオーディオ・コーディング処理間での切換えを示すグラフである。
【図１２】図１２は、ヘッドセットのオーディオ再生中の、楽曲の境界におけるオーディオ・コーディング処理間での切換えを示すグラフである。
【図１３】図１３は、無線ヘッドセットのためのオーディオ・コーディング処理を選択する第４の方法を示すフローチャートである。
【図１４】図１４は、無線ヘッドセットのためのオーディオ・コーディング処理を選択する第５の方法を示すフローチャートである。
【図１５】図１５は、無線ヘッドセットのためのオーディオ・コーディング処理を選択する第６の方法を示すフローチャートである。
【詳細な説明】
【００１３】
図面を参照及び包含する以下の詳細な説明は、１つ又は複数の特定の実施形態を説明及び例示する。限定するためではなく例示及び教示するために提供されるそれらの実施形態は、特許請求されたものを当業者が実施することが十分に可能であるように詳細に示され、説明される。従って、簡潔性のために、本説明は、当業者には周知のある情報を省略することがある。
【００１４】
「典型的な」という言葉は、「例、実例、又は例示を提供する」ことを意味するように、本開示を通して用いられる。本明細書において「典型的」であるとして記載されたものは何れも、必ずしも他のアプローチ又は特徴に対して好適である又は利点を有するものとして解釈されない。
【００１５】
ポータブル・オーディオ・デバイス、すなわちバッテリを用いるオーディオ・デバイスは、しばしば電力が制限される。バッテリ電力を節約するために、本明細書に開示されるデバイスは、デバイスの１つ又は複数の動作条件に基づいて、異なる電力消費レベルを有するオーディオ・コーディング・フォーマットを選択する。例えば、デバイスのバッテリ電力レベルが低い場合、バッテリ寿命を延長させるために、低電力オーディオ・コーディング・フォーマットが選択される。
【００１６】
ここで、図面を参照されたい。図１において、無線ヘッドセット１０２を含む典型的な通信システム１００が示される。システム１００は、例えば音楽プレーヤ１０４のような第１の音源及び例えば無線通信デバイス（ＷＣＤ）１０８のような第２の音源といった１つ又は複数の音源と、１つ又は複数の無線リンク１１０を介して通信することができる無線ヘッドセット１０２を含む。音源は、音楽プレーヤ１０４及びＷＣＤ１０８として図示されたが、オーディオ信号によって表されるオーディオがヘッドセット１０２内のスピーカから出力されることができるように、ヘッドセット１０２へオーディオ信号を送信することができる任意のデバイスであることができる。
【００１７】
典型的な通信システム１００において、音楽プレーヤ１０４、ＷＣＤ１０８、及びヘッドセット１０２は、ヘッドセット１０２の１つ又は複数の動作条件に基づいて、異なる電力消費レベルを有するオーディオ・コーディング・フォーマットを選択するように構成される。この目的は、ヘッドセット１０２におけるバッテリ電力を節約することである。ＷＣＤ１０８又は音楽プレーヤ１０４の何れかとヘッドセット１０２との間のサービス・ネゴシエーションの間、どのオーディオ・コーディング処理を用いるべきかを決定するためには主に以下の２つのアプローチがある。１）ヘッドセット１０２が自身の動作条件を決定し、どのオーディオ・コーディング処理を用いるべきかをＷＣＤ１０８又は音楽プレーヤ１０４に指示する。２）ＷＣＤ１０８又は音楽プレーヤ１０４がヘッドセット１０２に動作条件を問い合わせ、それに従って、動作条件に基づいてオーディオ・コーディング処理を選択する。
【００１８】
システム１００及びヘッドセット１０２はＭＰ３形式の音楽に限定されないが、音楽プレーヤ１０４はＭＰ３音楽プレーヤであることができる。
【００１９】
典型的な通信システム１１０は、ＷＣＤ１０８と音楽プレーヤ１０４とを別個のデバイスとして示すが、２つのデバイスの機能は単一の無線デバイス、すなわち、結合された双方向通信デバイス及び音楽プレーヤに組み込むことができる。
【００２０】
ＷＣＤ１０８は、例えばモバイル・ラジオ、コードレス電話、パーソナル・デジタル・アシスタント（ＰＤＡ）、セルラ加入者ユニット、パーソナル・コンピュータ、ラップトップ・コンピュータ等のような、双方向ラジオ通信が可能である任意の適切な通信デバイスであることができる。図示された例において、ＷＣＤ１０８は、無線通信ネットワーク１０６内の１つ又は複数の基地局と通信することができるデバイスである。適切な無線通信ネットワーク１０６の例は、ＷｉＦｉ、ＷｉＭＡＸ、符号分割多元接続（ＣＤＭＡ）ベースのネットワーク、ＷＣＤＭＡ、ＧＳＭ（登録商標）、ＵＴＭＳ、ＡＭＰＳ、ＰＨＳネットワーク等を含むが、それらに限定されない。無線ネットワーク１０６は、ＷＣＤ１０８との無線音声及び／又はデータ通信をサポートするために必要なそれらのネットワーク要素を備えるインフラストラクチャを含む。無線通信インフラストラクチャは、ＷＣＤ１０８との無線通信を確立及び維持する、例えばコントローラ、トランシーバ、及びバックホールのような機器と、その他の端末デバイスとを含む。無線インフラストラクチャにおけるデバイスのタイプ及び数は、特定の無線ネットワークに依存する。例えば、典型的なセルラ・ネットワークは、モバイル交換センタ（ＭＳＣ）に接続された基地局コントローラ（ＢＳＣ）に接続された、いくつかの基地トランシーバ局（ＢＴＳ）に接続されたセクタ・アンテナを含む。セルラ基地局コントローラは一般に、パケット・データ・サーバ・ノード（ＰＤＳＮ）を介して例えばインターネットのようなＩＰベースのネットワークと通信することができる。基地局はまた、ＭＳＣを介して公衆交換電話ネットワーク（ＰＳＴＮ）と通信することもできる。従って、無線ネットワーク１０６に含まれる従来のセルラ基地局は、ＭＳＣ及びＰＳＴＮを用いて、ＷＣＤ１０８と、例えば従来の固定電話のような他の電話デバイスとの間の従来の音声接続及び通話サービスを提供する。
【００２１】
ヘッドセット１０２へ、またヘッドセット１０２から送信されるオーディオ信号は、音声及びモノラル・オーディオ又はステレオ・オーディオを含むがそれらに限定されない任意の形式の識別可能サウンドを表すことができる。無線チャネルを介して音源とヘッドセット１０２との間で送信されるオーディオ信号は、４４．１ＫＨｚの工業規格レートでサンプルされたデジタル化オーディオを表すことができる。他の規格レートは、８ｋＨｚ、１６ｋＨｚ、４８ｋＨｚであり、その他のレートも使用されうる。
【００２２】
無線リンク１１０は、音源１０４、１０８の何れかからヘッドセット１０２へオーディオを転送するための任意の適切な通信プロトコルを用いる、ヘッドセット１０２と音源１０４、１０８との間のラジオ周波数（ＲＦ）チャネル又は赤外線（ＩＲ）チャネルを含む任意の適切な無線通信チャネルであることができる。図示された例において、各無線リンク１１０は、ブルートゥース（登録商標）無線リンクであることができる。
【００２３】
オーディオは、Ａ２ＤＰ仕様書において説明されるように、音楽プレーヤ１０４とヘッドセット１０２との間で確立された接続の結果生じるブルートゥース・ストリーミング・オーディオを含むことができる。ブルートゥース・ストリーミング・オーディオ接続が確立された後、オーディオ・パケットが第１の音源からヘッドセット１０２へ送信される。一般に、オーディオ・パケットは、ネゴシエートされたコーデック規格を用いて符号化されたデジタル化オーディオを含む。各オーディオ・パケットは、ヘッドセット１０２において出力される、例えば２０ミリ秒といった所定の持続期間のサウンドを表す。オーディオ・パケットは、Ａ２ＤＰプロファイルに従ってフォーマットされ、符号化オーディオの１つ又は複数のフレームを含むことができる。オーディオは、生のパルス符号変調（ＰＣＭ）、ＳＢＣ、ＡＤＰＣＭ、ＡＡＣ、ＷＭＡ、Ｒｅａｌ、ＭＰＥＧ−１オーディオ、ＭＰＥＧ−２オーディオ等を含むがそれらに限定されない任意の適切なオーディオ・コーデックを用いて符号化することができる。
【００２４】
典型的な無線ヘッドセット１０２は、２つのイヤホン１０３と、ヘッドセット１０２をユーザが快適に着用するための例えばヘッドバンド１０５のような１つの任意の支部とを含む。
【００２５】
無線ヘッドセットは、ユーザがコードによって音源に繋ぎ止められることがないので、多大なユーザの自由を提供するために用いられる。従来の有線ヘッドセットは、音源と、ユーザの耳の上又は中に装着するように意図された１つ又は２つのイアピースの何れかとの間にあるコードを含む。多くの場合、無線ヘッドセットは、有線ヘッドセットと簡単に置換可能である。そのような環境において、無線ヘッドセットは、通常ＲＦ又はＩＲチャネルである、ヘッドセットと音源との間にあるコードのための無線リンクの代わりとなる。有線ヘッドセット及び無線ヘッドセットの両方が、例えばコードレス電話、モバイル・ラジオ、パーソナル・デジタル・アシスタント（ＰＤＡ）、セルラ加入者ユニット等といった通信デバイスのような音源、及び例えばＭＰ３プレーヤ、ステレオ・システム、ラジオ、ビデオ・ゲーム、パーソナル・コンピュータ、ラップトップ・コンピュータ等のような他のソース・デバイスと併用されうる。
【００２６】
無線ヘッドセットは、ＲＦ又はＩＲ無線技術を用いて音源と通信する。そのような無線ヘッドセット通信は、例えば、”www.bluetooth.com”において入手可能なブルートゥース仕様書によって定義される１つのようなパーソナル無線ネットワークに拡大されてきた。ブルートゥース仕様書は、無線ヘッドセット機能を提供するための具体的なガイドラインを提供する。特に、ブルートゥース仕様書は、ヘッドセットを用いる場合をサポートするために必要なブルートゥース・デバイスのための要件を定義するヘッドセット・プロファイルを提供する。設定されると、ヘッドセットは、デバイスのオーディオ入力及び／又は出力として機能することができる。従って、ブルートゥース・ネットワークの特に一般的な使用は、セルラ電話及びＰＤＡのための無線ヘッドセット接続を提供することである。更に、ブルートゥース仕様書は、ブルートゥース・ネットワークを介した高品質なステレオ・オーディオあるいはモノ・オーディオを無線で配信するための規格及び手順を定義する、アドバンスド・オーディオ・ディストリビューション・プロファイル（Ａ２ＤＰ）も提供する。このプロファイルの目的は、例えばＺｕｎｅ、ｉＰｏｄ等のようなＭＰ３音楽プレーヤに接続することである。
【００２７】
ヘッドセット１０２及びイアピース１０３は、ヘッドバンド１０５を伴って図示されるが、ユーザの耳の上又は耳の中にイアピース１０３を安全に装着させるために適用される任意の適切な物理的形状及びサイズを有することができる。ヘッドバンド１０５は、ヘッドセット１０２から任意に省略されうる。例えばイアピース１０３は、ユーザの耳たぶの裏側及びユーザの外耳道の上又は中に装着するための従来のフック型イアピースであることができる。更に、ヘッドセット１０２は２つのイアピース１０３を有するように図示されるが、１つのイアピースしか含まないこともある。
【００２８】
図２は、典型的な無線ヘッドセット２００のある構成要素を示すブロック図である。無線ヘッドセット２００は、ヘッドセット１０２として通信システム１００内に含まれ、無線ヘッドセット１０２の特徴及び機能を含むことができる。
【００２９】
無線ヘッドセット２００は、センサ２１０、セレクタ２０２、及び複数のオーディオ・コーディング処理２０４、２０６、２０８を含む。センサ２０１は、ヘッドセット２００の少なくとも１つの動作条件をモニタする。センサ２０１は、ヘッドセット動作条件をセレクタ２０２に報告する。セレクタ２０２はその後、動作条件に基づいてオーディオ・コーディング処理２０４、２０６、２０８のうちの１つを選択する。センサ２０１によって測定された動作条件は、バッテリ電圧レベルに基づくことができるバッテリ・エネルギ残量、ヘッドセット２００において測定された周囲雑音レベル、又はバッテリ・エネルギ残量と周囲雑音レベルとの組み合わせであることができる。センサ２０１はまた、オーディオ信号と周囲雑音レベルとの信号対雑音比（ＳＮＲ）が計算されうるように、到来するオーディオ信号の強度を決定することもできる。報告された動作条件はＳＮＲを含むことができるので、セレクタ２０２は、自身の選択を、ＳＮＲ又はその他の動作条件とＳＮＲとの組み合わせに基づかせることができる。
【００３０】
オーディオ・コーディング処理２０４、２０６、２０８の各々は、オーディオ・コーデックとして実現されうるオーディオ復号処理を含む。オーディオ・コーディング処理２０４、２０６、２０８はそれぞれ、ＰＣＭ、ＳＢＣ、ＡＤＰＣＭ、ＡＡＣ、ＷＭＡ、Ｒｅａｌ、ＭＰＥＧ−１オーディオ、ＭＰＥＧ−２オーディオ等のうちの１つであることができる。オーディオ・コーディング処理２０４、２０６、２０８は、ソフトウェア、ハードウェア、又はハードウェア部品とソフトウェア・プログラムとの任意の適切な組み合わせを用いて実現されうる。
【００３１】
センサ２０１は、ハードウェア、ソフトウェア、又はそれらの任意の適切な組み合わせを用いて実現されうる。例えばセンサ２０１は、バッテリ電力レベルをモニタするための市販の電力測定モジュールを含むことができる。センサ２０１はまた、マイクロホンからの信号を処理するためのオーディオ処理回路に結合された、ヘッドセット２００における雑音レベルを測定するための１つ又は複数のマイクロホン（図示せず）を含むこともできる。
【００３２】
セレクタ２０２は、センサ２０１からの出力を読み取り、適切なオーディオ・コーディング処理を選択するためにセンサの出力と様々な閾値とを比較するためのソフトウェア・プログラムを実行するプロセッサとして実現されうる。動作条件及び選択処理の特定の例が以下で説明される。
【００３３】
オーディオ・コーディング処理のうちの１つの選択後、ヘッドセット２００は、符号化オーディオをヘッドセット２００へダウンロード又はストリームしようと試みている任意のデバイスに、自身の選択を公表する。ブルートゥース無線システムにおいて、この公表は、サービス・ディスカバリ・プロトコル（ＳＤＰ）を用いて達成することができる。ＳＤＰを用いる場合、外部デバイスがヘッドセット２００からのサービス情報を要求すると、ヘッドセット２００は、ＳＤＰサービス要求に応答して、選択されたオーディオ・コーディング処理の識別を提供することができる。外部デバイスはその後、ヘッドセット２００によって選択された処理に対応するように自身のオーディオ・コーディング処理を設定することができる。
【００３４】
異なる符号化処理間で選択する能力は、１つのオーディオ符号化フォーマットから別のオーディオ符号化フォーマットへトランスコードする必要を消失又は低減することができる。損失性オーディオ・コーディング・フォーマット間でのトランスコードは、しばしば更なる雑音を生じさせるので、回避することが望ましい。
【００３５】
図３は、第１の無線ヘッドセット・システム３００のある構成要素を示すブロック図である。無線ヘッドセット・システム３００は、無線ヘッドセット３０２及び音源３０４を含み、それらの各々は無線リンク１１０を介して互いに通信することができる。無線ヘッドセット・システム３００は、通信システム１００内に含まれうる。この場合、音源３０４は、ＷＣＤ１０８及び／又は音楽プレーヤ１０４の特徴及び機能を含み、そのように動作することができ、無線ヘッドセット３０２は、無線ヘッドセット１０２の特徴及び機能を含み、そのように動作することができる。
【００３６】
無線ヘッドセット３０２は、無線リンク１１０を介して音源３０４と通信するための無線インタフェース３０６を含む。無線ヘッドセットはまた、少なくとも１つのヘッドセット動作条件をモニタするためのセンサ２０１も含む。無線インタフェース３０６は、無線リンク１１０の方法によって、ヘッドセット動作条件を音源３０４へ通信するように構成される。
【００３７】
音源３０４は、無線リンク１１０を介して無線ヘッドセット３０２と通信するための無線インタフェース３０８を含む。音源３０４はまた、セレクタ３１０及び複数のオーディオ・コーディング処理３１２、３１４、３１６も含む。セレクタ３１０は、無線インタフェース３０８からのヘッドセット動作条件を受信する。セレクタ３１０はその後、動作条件に基づいて、オーディオ・コーディング処理３１２、３１４、３１６のうちの１つを選択する。セレクタ３１０へ提供されたヘッドセット動作条件は、図２に関連して上述されたヘッドセット動作条件であることができる。
【００３８】
オーディオ・コーディング処理３１２、３１４、３１６の各々は、オーディオ・コーデックとして実現されうるオーディオ符号化処理を含む。オーディオ・コーディング処理３１２、３１４、３１６はそれぞれ、ＰＣＭ、ＳＢＣ、ＡＤＰＣＭ、ＡＡＣ、ＷＭＡ、Ｒｅａｌ、ＭＰＥＧ−１オーディオ、ＭＰＥＧ−２オーディオ等のうちの１つであることができる。処理３１２、３１４、３１６のうちの少なくとも１つは、ヘッドセット３０２のオーディオ・コーディング処理２０４、２０６、２０８のうちの１つに対応する。オーディオ・コーディング処理３１２、３１４、３１６は、ソフトウェア、ハードウェア、又はハードウェア部品とソフトウェア・プログラムとの任意の適切な組み合わせを用いて実現されうる。
【００３９】
セレクタ３１０は、無線インタフェース３０８からの出力を読取り、適切なオーディオ・コーディング処理を選択するためにセンサ出力と様々な閾値とを比較するためのソフトウェア・プログラムを実行するプロセッサとして実現することができる。動作条件及び選択処理の特定の例が以下で説明される。
【００４０】
無線インタフェース３０６、３０８は、ブルートゥース無線インタフェース・モジュールであることができる。
【００４１】
動作中、音源３０４はまず、無線リンク１１０を介して、ヘッドセット３０２にその動作条件を問い合わせる。音源３０４において動作条件を受信した後、セレクタ３１０は、ヘッドセット動作条件及びヘッドセット３０２において利用可能なコーディング処理に基づいて、オーディオ・コーディング処理３１２、３１４、３１６のうちの１つを選択する。音源３０４はその後、自身の選択をヘッドセット３０２に示し、ヘッドセット３０２は、到来する符号化オーディオを復号するために、自身の対応するオーディオ・コーディング処理２０４、２０６、又は２０８を設定する。音源３０４はその後、符号化オーディオをヘッドセット３０２へ送信することを開始する。ブルートゥース無線システムを用いる場合、動作条件の問い合わせは、ＳＤＰを用いて達成することができる。選択されたオーディオ・コーディング処理は、Ａ２ＤＰを用いたオーディオ・ストリーミングの開始時、適切なデータ・フィールドによって示されることができる。フォーマットが一致しない場合、音源３０４は、オーディオをヘッドセット３０２によってサポートされるフォーマットにトランスコードすることができる。
【００４２】
図４は、第２の無線ヘッドセット・システム４００のある構成要素を示すブロック図である。無線ヘッドセット・システム４００は、各々が無線リンク１１０を介して互いに通信することができる無線ヘッドセット４０２とＷＣＤ４０４とを含む。無線ヘッドセット・システム４００は、ヘッドセット１０２として動作することができ、通信システム１００内に含まれうる。ＷＣＤ４０４は、ＷＣＤ１０８及び／又は音楽プレーヤ１０４の特徴及び機能を含み、そのように動作することができ、無線ヘッドセット４０２は、無線ヘッドセット１０２の特徴及び機能を含むことができる。
【００４３】
無線ヘッドセット４０２は、無線リンク１１０を介してＷＣＤ４０４と通信するための短距離無線インタフェース４０６と、アンテナ４１３とを含む。無線ヘッドセット４０４はまた、センサ２０１、セレクタ４０８、高忠実度オーディオ・コーデック４１０、低電力オーディオ・コーデック４１２、オーディオ処理回路４１４、左チャネルデジタル・アナログ変換器（ＤＡＣ）４１６、右チャネルＤＡＣ４１８、左チャネルＨＰＨ増幅器（Ａｍｐ）４２０、右チャネルＨＰＨ増幅器（Ａｍｐ）４２２、左チャネル・イヤホン・スピーカ４２４、及び右チャネル・イヤホン・スピーカ４２６も含む。
【００４４】
センサ２０１は、少なくとも１つのヘッドセット動作条件をモニタし、セレクタ４０８に動作条件を報告する。
【００４５】
セレクタ４０８は、ヘッドセット動作条件に基づいて、高忠実度オーディオ・コーデック４１０又は低電力オーディオ・コーデック４１２の何れかを選択する。セレクタは、到来するオーディオ・ストリームにおける１つ又は複数の境界を検出するように構成された検出器４１５を含む。セレクタ４０８は、境界のうちの１つにおいてオーディオ・コーデック４１０、４１２の間で切り換えるように構成される。境界は、図１２に関連して以下で説明されるように、サイレンス期間を含むことができる。
【００４６】
短距離無線インタフェース４０６は、トランシーバ４０７を含み、ＷＣＤ４０４との双方向無線通信を提供する。ヘッドセット４０２とともに任意の適切な技術を用いることができるが、短距離無線インタフェース４０６は、アンテナ４１３、ブルートゥースＲＦトランシーバ、ベースバンド・プロセッサ、プロトコル・スタック、及び、オーディオ・コーデック４１０、４１２、セレクタ４０８、及びもし必要であればヘッドセット４０２の他の構成要素とモジュールとを接続するためのハードウェア・インタフェース及びソフトウェア・インタフェースからなるブルートゥース・コア・システムを少なくとも提供する市販のブルートゥース・モジュールを好適に含む。
【００４７】
デジタル化オーディオ・ストリームは、短距離無線インタフェース４０６から出力され、セレクタ４０８によって選択されたオーディオ・コーディング処理に依存して、高忠実度コーデック４１０又は低電力オーディオ・コーデック４１２の何れかによって復号される。デジタル化オーディオ・ストリームのコーディング処理は、コーデック４１０、４１２と互換性のある任意の適切なスキームであることができるので、オーディオ・ストリームは、いくつかの場合において、例えばＰＣＭサンプルのような生のオーディオ・サンプルであることができ、また他の場合において、例えばＳＢＣ、ＡＤＰＣＭ、ＡＡＣ、ＷＭＡ、Ｒｅａｌ、ＭＰＥＧ−１オーディオ、ＭＰＥＧ−２オーディオ等のようなデジタルに符号化及び／又は圧縮されたオーディオであることもできる。
【００４８】
高忠実度コーデック４１０は、動作中、低電力コーデック４１２のオーディオ復号処理よりも高い電力を消費するオーディオ復号処理を含む。一般に、オーディオ・コーデックによって消費される電力の量は、１００万命令／秒（ＭＩＰＳ）で測定されるようなコーデックの計算複雑性に直接的に関係する。一般に、コーデックが多数のＭＩＰＳを実行する場合、少数のＭＩＰＳで動作しているコーデックよりも多くの電力を消費する。高忠実度コーデック４１０は、ＡＡＣ、ＷＭＡ、Ｒｅａｌ、ＭＰＥＧ−１オーディオ、ＭＰＥＧ−２オーディオのコーデック等であることができ、低電力コーデックは、ＳＢＣコーデックであることができる。
【００４９】
オーディオ処理回路４１４は、デジタル領域において復号されたデジタル化オーディオ信号を処理するためのデジタル回路を含む。例えば復号されたオーディオ・ストリームは、オーディオ処理回路４１４によって、１回又は複数回切り取られ、１回又は複数回増幅され、１回又は複数回アップサンプルされうる。フィルタリングは、低パス・フィルタリング、高パス・フィルタリング、及び／又は他の種類のフィルタ機能によって特徴付けられるフィルタを通すストリームのパスを含むことができる。デジタル領域における増幅は、プログラマブル利得増幅器（ＰＧＡ）の使用を含むことができる。
【００５０】
オーディオ処理回路４１４は、市販されている既成の部品を用いて実現することができる。回路４１４は、左チャネルと右チャネルとを別々に処理するためのオーディオ処理回路を含むことができる。あるいはオーディオ処理回路４１４は、左及び右のオーディオ・チャネル両方を操作する単一の多重化オーディオ処理経路を含むことができる。また、オーディオ処理回路４１４の機能のうちのいくつか又は全ては、プロセッサ上で実行可能なソフトウェアとして実現することができる。
【００５１】
左チャネルＤＡＣ４１６は、オーディオ処理回路４１４から出力されたデジタル化オーディオを、左チャネル・アナログ・オーディオ信号に変換する。左チャネル・アナログ・オーディオ信号はその後、左スピーカ４２４をドライブするためにオーディオ増幅器４１６によって増幅される。
【００５２】
右チャネルＤＡＣ４１８は、オーディオ処理回路４１４から出力されたデジタル化オーディオを、右チャネル・アナログ・オーディオ信号に変換する。右チャネル・アナログ・オーディオ信号はその後、右スピーカ４２６をドライブするためにオーディオ増幅器４２２によって増幅される。
【００５３】
当業者は、オーディオ増幅器２１４、２２２以外の更なるアナログ・オーディオ処理回路（図示せず）がヘッドセット４０２内に含まれうることを理解するであろう。
【００５４】
左右のヘッドセット・スピーカ４２４、４２６は、それぞれ増幅器４２０、４２２から出力された電子信号を音に変換するための任意の適切なオーディオ・トランスデューサである。
【００５５】
ＷＣＤ４０４は、無線広域ネットワーク（ＷＷＡＮ）インタフェース４３０、１つ又は複数のアンテナ４１１、短距離無線インタフェース４３６、セレクタ・プログラム４４４を格納しているメモリ４４２とプロセッサ４４０とを有するコントローラ４３８、ＷＣＤ４０４に格納された符号化オーディオ４４６、及びオーディオ・トランスコーダ４４８を含む。ＷＣＤ４０４は、短距離無線リンク１１０及びＷＷＡＮリンクを介して通信するために別個のアンテナを含むことができ、あるいは両方のリンクのために用いられうる単一のアンテナを含むこともできる。
【００５６】
ＷＷＡＮインタフェース４３０は、例えば図１に関連して上述した無線ネットワーク１０６のようなＷＷＡＮと通信するために必要な物理インタフェース全体を備える。インタフェース４３０は、ＷＷＡＮと無線信号を交換する等に構成された無線トランシーバ４３２を含む。ＷＷＡＮインタフェース４３０は、ＷＷＡＮと無線信号を交換し、接続されたデバイスへＷＷＡＮを介して音声コール及びデータを転送することを可能とする。接続されたデバイスは、別のＷＷＡＮ端末、固定電話、又は例えば音声メール・サーバ、インターネット・サーバ等のようなネットワーク・サービス・エンティティであることができる。
【００５７】
短距離無線インタフェース４３４は、トランシーバ４４３６を含み、無線ヘッドセット４０２との双方向無線通信を提供する。ＷＣＤ４０４とともに任意の適切な無線技術を用いることができるが、短距離無線インタフェース４３６は、ブルートゥースＲＦトランシーバ、ベースバンド・プロセッサ、プロトコル・スタック、及び、モジュールをコントローラ４３８及びもし必要であればＷＣＤ４０４の他の構成要素に接続するためのハードウェア・インタフェース及びソフトウェア・インタフェースとからなるブルートゥース・コア・システム、ブルートゥース・アンテナを少なくとも提供する市販のブルートゥース・モジュールを好適に含む。
【００５８】
コントローラ４３８は、ＷＣＤ４０４の動作全体を制御するように構成される。セレクタ・プログラム４４４は、ヘッドセット４０２において選択されたオーディオ・コーディング処理に基づいて、ヘッドセット４０２へダウンロードするためのオーディオ・トランスコーダ４４８から出力されたトランスコードされたオーディオ又は符号化オーディオ４４６の何れかを選択するようにプロセッサ４４０によって実行可能である。セレクタ・プログラム４４４は、短距離無線インタフェース４３４を介して、ヘッドセット４２０からの選択されたオーディオ・コーディング処理のインジケーションを受信する。
【００５９】
符号化オーディオ４４６は、再生するための符号化オーディオの１つ又は複数のファイルを含むことができる。符号化オーディオ４４６のフォーマットは、高忠実度コーデック４１０によって用いられるフォーマットに対応することができ、本明細書で説明されるオーディオ符号化フォーマットのうちの何れかであることができる。符号化オーディオ４４６は、メモリ４４４内に格納されるか、あるいは、例えばフラッシュ・メモリのようなＷＣＤ１０８内に含まれる個別の大量記憶デバイス（図示せず）内に格納されうる。
【００６０】
オーディオ・トランスコーダ４４８は、低電力コーデック４１２がヘッドセット４０２によって選択された場合、低電力コーデック４１２によって要求されたフォーマットに符号化オーディオ４４６をトランスコードする。オーディオ・トランスコーダ４４８の代わりとして、ＷＣＤ４０４が、低電力コーデック４１２によって用いられるフォーマットで符号化され、格納されたオーディオを含むこともできる。また別の構成において、符号化オーディオ４４６は、低電力コーデック４１２に対応するフォーマットであり、トランスコードされたオーディオは、高忠実度コーデック４１０に対応するフォーマットであることもできる。
【００６１】
ＷＣＤ４０４及びヘッドセット４０２の構成要素は、アナログ及び／又はデジタルのハードウェア、ファームウェア及び／又はソフトウェアの任意の適切な組み合わせを用いて実現されうる。
【００６２】
図５は、第３の無線ヘッドセット・システム５００のある構成要素を示すブロック図である。無線ヘッドセット・システム５００は、各々が無線リンク１１０を介して互いに通信することができる無線ヘッドセット５０２とＷＣＤ４０４とを含む。無線ヘッドセット・システム５００は、通信システム１００内に含まれうる。無線ヘッドセット５０２は、無線ヘッドセット１０２の特徴及び機能を含み、そのように動作することができる。
【００６３】
ヘッドセット５０２は、少なくともセレクタ４０８を実現するためのコントローラ５０４を含むマルチ・プロセッサ・アーキテクチャを含む。コントローラ５０２は、ヘッドセット５０２及びそこに含まれるある構成要素の動作全体を制御することもできる。コントローラ５０４は、本明細書で説明されるようにヘッドセット５０２に自身の機能及び処理を実行させるために、メモリ内に格納されたプログラム命令を実行するための任意の適切な処理デバイスであることができるプロセッサを含むことができる。例えばプロセッサは、例えばＡＲＭ７、デジタル信号プロセッサ（ＤＳＰ）、１つ又は複数の特定用途向け集積回路（ＡＳＩＣ）、フィールド・プログラマブル・ゲート・アレイ（ＦＰＧＡ）、コンプレクス・プログラマブル・ロジック・デバイス（ＣＰＬＤ）、ディスクリート・ロジック、ソフトウェア、ハードウェア、ファームウェア、又はそれらの任意の適切な組み合わせのようなマイクロプロセッサであることができる。メモリは、プロセッサによって用いられ実行されるプログラム命令及びデータを格納するための任意の適切なメモリ・デバイスである。
【００６４】
ヘッドセット５０２はまた、高忠実度コーデック４１０、低電力コーデック４１２、及びオーディオ処理回路４１４の少なくとも一部を実現するためのＤＳＰ５０６も含む。ＤＳＰ５０６は、１つ又は複数のバス及び制御信号によってコントローラ５０４と通信している。
【００６５】
ヘッドセット４０２、５０２はまた、マイクロホン・プリプロセッサ（図示せず）によって前処理される入力オーディオ信号を生成するように構成されたマイクロホン（図示せず）を含むこともできる。マイクロホン・プリプロセッサの出力は、トランシーバへ提供され、その後無線リンク１１０を介してＷＣＤ４０４及び／又はヘッドセット４０２、５０２内のオーディオ処理経路へ提供されうる。マイクロホンは、音を電子信号に変換するための任意の適切なマイクロホン・デバイスであることができる。
【００６６】
マイクロホン・プリプロセッサは、マイクロホンから受信した電子信号を処理するように構成される。マイクロホン・プリプロセッサは、アナログ・デジタル変換器（ＡＤＣ）と雑音抑制及びエコー・キャンセル回路（ＮＲＥＣ）とを含むことができる。ＡＤＣは、マイクロホンからのアナログ信号を、その後ＮＲＥＣによって処理されるデジタル信号に変換する。ＮＲＥＣは、通信及び音声制御アプリケーションのために望ましくないオーディオ・アーチファクトを低減するために用いられる。マイクロホン・プリプロセッサは、市販のハードウェア、ソフトウェア、ファームウェア、又はそれらの任意の適切な組み合わせを用いて実現されうる。
【００６７】
マイクロホン及びマイクロホン・プリプロセッサは、周囲雑音信号をセンサ２０１へ提供するように構成されることもできる。
【００６８】
図６は、無線ヘッドセットのためのオーディオ・コーディング処理を選択する第１の方法６００を示すフローチャートである。ブロック６０２において、ヘッドセットの少なくとも１つの動作条件が決定される。決定ブロック６０４において、ヘッドセット動作条件は、低電力モードでヘッドセットを動作させる必要性を示すかを決定するためにチェックされる。そうである場合、ヘッドセットのために低電力オーディオ・コーディング処理が選択される（ブロック６０８）。そうでない場合、ヘッドセットのために高忠実度オーディオ・コーディング処理が選択される（ブロック６０６）。低電力オーディオ・コーディング処理は、ヘッドセットにおけるオーディオ処理中、高忠実度オーディオ・コーディング処理よりも少ない電力しか消費しない。
【００６９】
図７は、無線ヘッドセットのためのオーディオ・コーディング処理を選択する第２の方法７００を示すフローチャートである。ブロック７０２において、ヘッドセットのバッテリ・エネルギ残量を示すバッテリ電圧レベルが測定される。決定ブロック７０４において、バッテリが少なくなっているためにヘッドセットを低電力モードで動作させる必要性を示しているかを決定するために、バッテリ電圧レベルは電圧閾値と比較される。測定されたバッテリ電圧レベルが閾値を下回る場合、ヘッドセットのために低電力オーディオ・コーディング処理が選択される（ブロック７０８）。そうでない場合、ヘッドセットのために高忠実度オーディオ・コーディング処理が選択される（ブロック７０６）。低電力オーディオ・コーディング処理は、ヘッドセットにおけるオーディオ処理中、高忠実度オーディオ・コーディング処理よりも少ない電力しか消費しないので、ヘッドセットがより長い間動作することが可能となる。
【００７０】
図８は、通常のヘッドセット・バッテリ寿命を示す典型的なグラフ８００である。バッテリが新しい又はフルに充電されている場合、その出力電圧レベルは、フルに充電された電圧レベルであるか、又はそれに近い。曲線８０２は、ヘッドセットの動作中、時間にわたってバッテリが放電すると減少するバッテリ電圧レベルを示す。動作中のいくつかの時点において、ヘッドセット・バッテリは、自身の蓄電エネルギを十分に放電し、バッテリ出力電圧レベルが減少を開始する。バッテリが再充電されない場合、バッテリ出力電圧レベルは最終的に、最小使用可能電圧レベルまで、又はそれ以下に減少する。ヘッドセットは、最小使用可能電圧レベルで動作を停止する。
【００７１】
典型的なブルートゥース・ヘッドセット・バッテリは、１つ又は複数のＡＡＡバッテリ又は２．４Ｖ３５０ｍＡｈバッテリの何れかである。時間にわたってヘッドセット・バッテリによって供給される電圧は、図８で示すように表すことができる。
【００７２】
図９は、通常の及び延長されたヘッドセット・バッテリ寿命を示す典型的なグラフ９００である。延長されたバッテリ寿命は、バッテリ出力電圧レベルが閾値Ｖｔｈまで低下した場合にヘッドセットを低電力オーディオ・コーディングに切り換えることにより生じる。示された例において、バッテリ出力電圧レベルがＶｔｈに達すると、ヘッドセットは、（高忠実度、高電力のコーディング・スキームである）ＭＰ３オーディオ・コーディングから、（低忠実度、低電力のコーディング・スキームである）ＳＢＣオーディオ・コーディングへ切り換える。曲線８０２は、切換えがない場合のバッテリ出力電圧レベル（通常のバッテリ寿命）を示す。曲線９０２は、切換えがある場合のバッテリ出力電圧レベル（延長されたバッテリ寿命）を示す。低電力コーディング・スキームに選択的に切り換えることにより、ヘッドセット・バッテリ寿命は著しく延長されうる。音楽再生中、コーディング処理間での切換えは楽曲の境界で起こることができるので、感知可能なオーディオ・グリッチはない。
【００７３】
いくつかのバッテリは、自身の充電レベルの測定を提供し、その場合、切換え電圧閾値Ｖｔｈは、最大バッテリ充電の２０％に選択されうる。
【００７４】
図１０は、無線ヘッドセットのためのオーディオ・コーディング処理を選択する第３の方法１０００を示すフローチャートである。ブロック１００２において、ヘッドセットにおける周囲雑音レベルが測定される。決定ブロック１００４において、ヘッドセットが、低忠実度コーデック又は高忠実度オーディオ・コーデックからのオーディオ出力の間の差異が一般的にユーザに聞こえないほど騒々しい環境にあるかを決定するために、周囲雑音レベルと雑音閾値とが比較される。測定された周囲雑音レベルが閾値を上回る場合、ヘッドセットのために低電力、低忠実度のオーディオ・コーデック処理が選択される（ブロック１００６）。そうでない場合、ヘッドセットのために高忠実度オーディオ・コーディング処理が選択される（ブロック１００８）。低電力オーディオ・コーディング処理は、ヘッドセットにおけるオーディオ処理中、高忠実度オーディオ・コーディング処理よりも少ない電力しか消費しないので、ヘッドセットがより長く動作することが可能となる。
【００７５】
図１１は、周囲雑音レベルに基づくオーディオ・コーディング処理間の切換えを示す典型的なグラフ１１００である。グラフ１１００の上側の線１１０１は、高忠実度コーデック（例えば、ＭＰ３）か低忠実度コーデック（例えば、ＳＢＣ）かの選択を示す。グラフの下側の曲線１１０２は、測定された周囲雑音レベルを示す。測定された周囲雑音レベルが、例えば２０ｄＢＡの雑音閾値を下回る場合、ヘッドセットにおけるオーディオ処理のために高忠実度コーデックが選択される。測定された周囲雑音レベルが閾値を下回る場合、ヘッドセットにおけるオーディオ処理のために低忠実度（すなわち、低電力）コーデックが選択される。
【００７６】
図１２は、ヘッドセットのオーディオ再生中の楽曲の境界におけるオーディオ・コーディング処理間の切換えを示す。グラフ１２００の上側の線１２０１は、時間にわたる高忠実度コーデック（例えば、ＭＰ３）か低忠実度コーデック（例えば、ＳＢＣ）かの選択を示す。グラフの下側の曲線１２０２は、測定された周囲雑音レベルを時間にわたって示す。測定された周囲雑音レベルが雑音閾値を下回る場合、ヘッドセットにおけるオーディオ処理のために高忠実度コーデックが選択されうる。測定された周囲雑音レベルが雑音閾値を上回る場合、ヘッドセットにおけるオーディオ処理のために低忠実度（すなわち、低電力）コーデックが選択されうる。しかし、コーデックの切換えは、オーディオ出力中のコーデック切換えによって、ユーザに聞こえるオーディオ・グリッチが生じることを防ぐために、楽曲の境界で、又はその他のサイレンス期間中にしか発生しない。示された例において、楽曲１の間に周囲雑音レベルは雑音閾値より上まで上昇するが、高忠実度コーデック（ＭＰ３）から低忠実度コーデック（ＳＢＣ）への遷移は、楽曲１と楽曲２との境界が発生するまで延期される。周囲雑音レベルは、楽曲２の間に雑音閾値より下まで減少するが、楽曲２と３との間のサイレントな境界が発生するまで、オーディオ・コーデックは低忠実度コーデックから高忠実度コーデックへ切り換わらない。
【００７７】
図１３は、無線ヘッドセットのためのオーディオ・コーディング処理を選択する第４の方法１３００を示すフローチャートである。ブロック１３０２において、ヘッドセットにおける周囲雑音レベルが測定される。ブロック１３０４において、到来するオーディオ信号の強度が測定される。ブロック１３０６において、到来するオーディオ信号と周囲雑音レベルとの信号対雑音比（ＳＮＲ）が計算される。決定ブロック１３０８において、ヘッドセットが、低忠実度コーデック又は高忠実度オーディオ・コーデックからのオーディオ出力の間の差異が一般的にユーザに聞こえないほど比較的騒々しい環境にあるかを決定するために、計算されたＳＮＲとＳＮＲ閾値とが比較される。ＳＮＲが閾値を下回る、例えば７０ｄＢより小さい場合、低電力、低忠実度のオーディオ・コーディング処理がヘッドセットのために選択される（ブロック１３１０）。そうでない場合、高忠実度オーディオ・コーディング処理がヘッドセットのために選択される（ブロック１３１２）。低電力オーディオ・コーディング処理は、ヘッドセットにおけるオーディオ処理中、高忠実度オーディオ・コーディング処理よりも少ない電力しか消費しないので、ヘッドセットがより長く動作することが可能になる。
【００７８】
ノイズ・キャンセリング・ヘッドホンでの再生中は、周囲雑音レベルに関わらず、高忠実度コーディング処理が選択されうる。
【００７９】
図１４は、無線ヘッドセットのためのオーディオ・コーディング処理を選択する第５の方法１４００を示すフローチャートである。ブロック１４０２において、バッテリ・エネルギ残量を示すヘッドセットのバッテリ電圧レベルが測定される。決定ブロック１４０４において、バッテリが少なくなっているためにヘッドセットを低電力モードで動作させる必要性を示しているかを決定するために、バッテリ電圧レベルと電圧閾値とが比較される。測定されたバッテリ電圧レベルが閾値を下回る場合、ヘッドセットのために低電力オーディオ・コーディング処理が選択される（ブロック１４０６）。そうでない場合、ブロック１４０８において、ヘッドセットにおける周囲雑音レベルが測定される。決定ブロック１４０９において、ヘッドセットが、低忠実度コーデック又は高忠実度オーディオ・コーデックからのオーディオ出力の間の差異が一般的にユーザに聞こえないほど騒々しい環境にあるかを決定するために、周囲雑音レベルと雑音閾値とが比較される。測定された周囲雑音レベルが閾値を上回る場合、ヘッドセットのために低電力、低忠実度のオーディオ・コーディング処理が選択される（ブロック１４０６）。そうでない場合、ヘッドセットのために高忠実度オーディオ・コーディング処理が選択される（ブロック１４１０）。低電力オーディオ・コーディング処理は、ヘッドセットにおけるオーディオ処理中、高忠実度オーディオ・コーディング処理よりも少ない電力しか消費しないので、ヘッドセットがより長く動作することが可能になる。
【００８０】
図１５は、無線ヘッドセットのためのオーディオ・コーディング処理を選択する第６の方法１５００を示すフローチャートである。ブロック１５０２において、ヘッドセットのバッテリ電圧レベルが測定される。決定ブロック１５０４において、バッテリが少なくなっているためにヘッドセットを低電力モードで動作させる必要性を示しているかを決定するために、バッテリ電圧レベルと電圧閾値とが比較される。測定されたバッテリ電圧レベルが閾値を下回る場合、ヘッドセットのために低電力オーディオ・コーディング処理が選択される（ブロック１５１８）。そうでない場合、ブロック１５０６において、ヘッドセットの周囲雑音レベルが測定される。決定ブロック１５０８において、ヘッドセットが、低忠実度コーデック又は高忠実度オーディオ・コーデックからのオーディオ出力の間の差異が一般的にユーザに聞こえないほど騒々しい環境にあるかを決定するために、周囲雑音レベルと雑音閾値とが比較される。測定された周囲雑音レベルが閾値を上回る場合、ヘッドセットのために低忠実度オーディオ・コーディング処理が選択される（ブロック１５１８）。そうでない場合、ヘッドセットによって出力されたオーディオ信号の強度が測定される（ブロック１５１０）。ブロック１５１２において、到来する信号と周囲雑音レベルとの信号対雑音比（ＳＮＲ）が計算される。決定ブロック１５１４において、ヘッドセットが、低忠実度コーデック又は高忠実度オーディオ・コーデックからのオーディオ出力間の差異が一般的にユーザに聞こえないほど比較的騒々しい環境にあるかを決定するために、計算されたＳＮＲとＳＮＲ閾値とが比較される。ＳＮＲが閾値を下回る場合、ヘッドセットのために低電力、低忠実度のオーディオ・コーディング処理が選択される（ブロック１５１８）。そうでない場合、ヘッドセットのために高忠実度オーディオ・コーディング処理が選択される（ブロック１５１６）。低電力オーディオ・コーディング処理は、ヘッドセットにおけるオーディオ処理中、高忠実度オーディオ・コーディング処理よりも少ない電力しか消費しないので、ヘッドセットがより長く動作することが可能になる。
【００８１】
本明細書に記載されたシステム、デバイス、ヘッドセット、及びそれらのそれぞれの構成要素の機能、及び方法ステップ及びブロックは、ハードウェア、ソフトウェア、ファームウェア、又はそれらの任意の適切な組み合わせによって実現されうる。ソフトウェア／ファームウェアは、例えばマイクロプロセッサ、ＤＳＰ、組込型コントローラ、又はインテレクチュアル・プロパティ（ＩＰ）コアのような１つ又は複数のデジタル回路によって実行可能な命令（例えば、コード・セグメント）のセットを有するプログラムであることができる。ソフトウェア／ファームウェアによって実現される場合、機能は、１つ又は複数のコンピュータ読取り可能媒体上の命令又はコードとして記憶される、あるいは送信されることができる。コンピュータ読取り可能媒体は、１つの場所から別の場所へのコンピュータ・プログラムの転送を可能にする任意の媒体を含む通信媒体及びコンピュータ記憶媒体の両方を含む。記憶媒体は、コンピュータによってアクセスすることができる任意の利用可能な媒体であることができる。限定ではなく一例として、そのようなコンピュータ読取り可能媒体は、ＲＡＭ、ＲＯＭ、ＥＥＰＲＯＭ、ＣＤ−ＲＯＭあるいはその他の光学ディスク記憶媒体、磁気ディスク記憶媒体あるいはその他の磁気記憶デバイス、又は、所望のプログラム・コードを命令あるいはデータ構成の形式で搬送又は記憶するために用いることができ、コンピュータによってアクセスすることができるその他任意の媒体を備えることができる。また、任意の接続が適宜コンピュータ読取可能媒体と称される。例えば、ソフトウェアが、同軸ケーブル、光ファイバ・ケーブル、ツイスト・ペア、デジタル加入者線（ＤＳＬ）、又は、例えば赤外線、ラジオ、及びマイクロ波のような無線技術を用いて、ウェブサイト、サーバ、あるいはその他の遠隔ソースから送信される場合、同軸ケーブル、光ファイバ・ケーブル、ツイスト・ペア、ＤＳＬ、又は、例えば赤外線、ラジオ、及びマイクロ波のような無線技術は、媒体の定義に含まれる。本明細書において用いられるようなディスク（disk）及びディスク（disc）は、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ・ディスク（disc）を含み、ディスク（disk）は一般にデータを磁気的に再生し、ディスク（disc）は一般にレーザを用いてデータを光学的に再生する。上記の組み合わせもまた、コンピュータ読取可能媒体の範囲内に含まれるべきである。
【００８２】
ある実施形態が説明された。しかし、それらの実施形態に対する様々な変形例が可能であり、本明細書において提示された原理は、他の実施形態にも同様に適用されうる。例えば、本明細書において開示された原理は、例えばパーソナル・デジタル・アシスタント（ＰＤＡ）及びセルラ電話を含む無線デバイス、スピーカ、パーソナル・コンピュータ、ステレオ・システム、ビデオ・ゲーム等のような他のデバイスにも適用することができる。また、本明細書において開示された原理は、ヘッドセットと音源との間の通信リンクが無線リンクではなく有線である有線ヘッドセットにも適用されうる。更に、様々な構成要素及び／又は方法ステップ／ブロックは、特許請求の範囲から逸脱することなく、具体的に開示されたもの以外の順序で実現されうる。
【００８３】
他の実施形態及び変形例が、これらの教示の観点から当業者には容易に想到されるであろう。従って、以下の特許請求の範囲は、上記明細書及び図面と関連して検討された場合、そのような実施形態及び変形例の全てを包含することが意図される。
【図１】
2012516471.tif 000003
【図２】
2012516471.tif 000004
【図３】
2012516471.tif 000005
【図４】
2012516471.tif 000006
【図５】
2012516471.tif 000007
【図６】
2012516471.tif 000008
【図７】
2012516471.tif 000009
【図８】
2012516471.tif 000010
【図９】
2012516471.tif 000011
【図１０】
2012516471.tif 000012
【図１１】
2012516471.tif 000013
【図１２】
2012516471.tif 000014
【図１３】
2012516471.tif 000015
【図１４】
2012516471.tif 000016
【図１５】
2012516471.tif 000017
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
デバイスの周囲雑音レベルを決定するように構成されたセンサと、
前記周囲雑音レベルに基づいてデバイスのための第１のオーディオ・コーディング処理を選択するように構成されたセレクタと
を備え、前記第１のオーディオ・コーディング処理は、前記デバイスにおけるオーディオ処理中、第２のオーディオ・コーディング処理よりも少ない電力を消費し、前記第１及び第２のオーディオ・コーディング処理は、圧縮されたオーディオを復号するように構成された装置。
【請求項２】
前記センサは更に、バッテリ・エネルギ残量を決定するように構成され、前記選択は、前記バッテリ・エネルギ残量と前記周囲雑音レベルとの組み合わせに基づく、請求項１に記載の装置。
【請求項３】
前記選択は、前記周囲雑音レベルと、少なくとも１つの閾値雑音レベルとの比較に基づく、請求項１に記載の装置。
【請求項４】
前記センサは更に、オーディオ信号と前記周囲雑音レベルとの信号対雑音比（ＳＮＲ）を計算するために、前記オーディオ信号の強度を測定するように構成された、請求項１に記載の装置。
【請求項５】
前記オーディオ信号における１つ又は複数の境界を検出するように構成された検出器
を更に備え、
前記セレクタは更に、前記境界のうちの１つにおいて前記第１のオーディオ・コーディング処理と前記第２のオーディオ・コーディング処理との間で切り換えるように構成された、請求項１に記載の装置。
【請求項６】
前記境界は、サイレンス期間を含む、請求項５に記載の装置。
【請求項７】
前記周囲雑音レベルを別のデバイスへ転送するように構成された、前記デバイス内に含まれるインタフェースを更に備える、請求項１に記載の装置。
【請求項８】
前記センサ及び前記セレクタは前記デバイス内に含まれる、請求項１に記載の装置。
【請求項９】
前記センサは前記デバイス内に含まれ、前記セレクタは無線通信デバイス内に含まれる、請求項１に記載の装置。
【請求項１０】
前記デバイスは無線ヘッドセットである、請求項１に記載の装置。
【請求項１１】
デバイスの周囲雑音レベルを決定することと、
前記周囲雑音レベルに基づいて前記デバイスのための第１のオーディオ・コーディング処理を選択することと
を備え、前記第１のオーディオ・コーディング処理は、前記デバイスにおけるオーディオ処理中、第２のオーディオ・コーディング処理よりも少ない電力を消費し、前記第１及び第２のオーディオ・コーディング処理は、圧縮されたオーディオを復号する方法。
【請求項１２】
バッテリ・エネルギ残量を測定することを更に備え、前記選択は、前記周囲雑音レベルと前記バッテリ・エネルギ残量との組み合わせに基づく、請求項１１に記載の方法。
【請求項１３】
前記選択は、前記周囲雑音レベルと少なくとも１つの閾値雑音レベルとの比較に基づく、請求項１１に記載の方法。
【請求項１４】
オーディオ信号の強度を測定することと、
前記オーディオ信号と前記周囲雑音レベルとの信号対雑音比（ＳＮＲ）を計算することと
を更に備える、請求項１１に記載の方法。
【請求項１５】
前記オーディオ信号における１つ又は複数の境界を検出することと、
前記境界のうちの１つにおいて前記第１のオーディオ・コーディング処理と前記第２のオーディオ・コーディング処理との間で切り換えることと
を更に備える、請求項１１に記載の方法。
【請求項１６】
前記境界はサイレンス期間を含む、請求項１５に記載の方法。
【請求項１７】
前記デバイスから別のデバイスへ前記動作条件を転送することを更に備える、請求項１１に記載の方法。
【請求項１８】
前記デバイスは無線ヘッドセットである、請求項１１に記載の方法。
【請求項１９】
デバイスにおける周囲雑音レベルを決定するための手段と、
前記周囲雑音レベルに基づいて、複数のオーディオ・コーディング処理スキームから、前記デバイスのための第１のオーディオ・コーディング処理を選択するための手段と
を備え、前記第１のオーディオ・コーディング処理は、圧縮されたオーディオを復号するように構成された装置。
【請求項２０】
前記デバイスのバッテリ・エネルギ残量を測定するための手段を更に備え、前記第１のオーディオ・コーディング処理を選択することは、前記バッテリ・エネルギ残量と前記周囲雑音レベルとの組み合わせに基づく、請求項１９に記載の装置。
【請求項２１】
オーディオ信号の強度を測定するための手段と、
前記オーディオ信号と前記周囲雑音レベルとの信号対雑音比（ＳＮＲ）を計算するための手段とを更に備える、請求項１９に記載の装置。
【請求項２２】
前記オーディオ信号における１つ又は複数の境界を検出するための手段と、
前記境界のうちの１つにおいて前記第１のオーディオ・コーディング処理に切り換えるための手段と
を更に備える、請求項１９に記載の装置。
【請求項２３】
前記境界はサイレンス期間を含む、請求項２２に記載の装置。
【請求項２４】
前記デバイスから別のデバイスへ前記周囲雑音レベルを転送するための手段を更に備える、請求項１９に記載の装置。
【請求項２５】
前記デバイスは無線ヘッドセットである、請求項１９に記載の装置。
【請求項２６】
１つ又は複数のプロセッサによって実行可能な命令のセットを組み込むコンピュータ読取可能媒体であって、
デバイスの周囲雑音レベルを決定するためのコードと、
前記周囲雑音レベルに基づいて前記デバイスのための第１のオーディオ・コーディング処理を選択するためのコードと
を備え、前記第１のオーディオ・コーディング処理は、前記デバイスにおけるオーディオ処理中、第２のオーディオ・コーディング処理よりも少ない電力を消費し、前記第１及び第２のオーディオ・コーディング処理は、圧縮されたオーディオを復号するコンピュータ読取可能媒体。
【請求項２７】
バッテリ・エネルギ残量を測定するためのコードを更に備え、前記動作条件は、前記バッテリ・エネルギ残量と前記周囲雑音レベルとの組み合わせに基づく、請求項２６に記載のコンピュータ読取可能媒体。
【請求項２８】
前記選択は、前記周囲雑音レベルと少なくとも１つの閾値との比較に基づく、請求項２６に記載のコンピュータ読取可能媒体。
【請求項２９】
オーディオ信号の強度を測定するためのコードと、
前記オーディオ信号と前記周囲雑音レベルとの信号対雑音比（ＳＮＲ）を計算するためのコードと
を更に備える、請求項２６に記載のコンピュータ読取可能媒体。
【請求項３０】
前記オーディオ信号における１つ又は複数の境界を検出するためのコードと、
前記境界のうちの１つにおいて前記第１のオーディオ・コーディング処理と前記第２のオーディオ・コーディング処理との間で切り換えるためのコードと
を更に備える、請求項２６に記載のコンピュータ読取可能媒体。
【請求項３１】
前記境界はサイレンス期間を含む、請求項３０に記載のコンピュータ読取可能媒体。
【請求項３２】
前記デバイスから別のデバイスへ前記動作条件を転送するためのコードを更に備える、請求項２６に記載のコンピュータ読取可能媒体。
【請求項３３】
前記デバイスは無線ヘッドセットである、請求項２６に記載のコンピュータ読取可能媒体。
【手続補正２】
【補正対象書類名】明細書
【補正対象項目名】００８３
【補正方法】変更
【補正の内容】
【００８３】
他の実施形態及び変形例が、これらの教示の観点から当業者には容易に想到されるであろう。従って、以下の特許請求の範囲は、上記明細書及び図面と関連して検討された場合、そのような実施形態及び変形例の全てを包含することが意図される。なお、出願当初の本願請求項と同一の記載をその他の実施例として以下に付記する。
[その他の実施例１]
デバイスの少なくとも１つの動作条件を決定するように構成されたセンサと、
前記動作条件に基づいてデバイスのための第１のオーディオ・コーディング処理を選択するように構成されたセレクタと
を備え、前記第１のオーディオ・コーディング処理は、前記デバイスにおけるオーディオ処理中、第２のオーディオ・コーディング処理よりも少ない電力を消費する装置。
[その他の実施例２]
前記動作条件は、バッテリ・エネルギ残量、前記デバイスにおいて測定された周囲雑音レベル、又は前記バッテリ・エネルギ残量と前記周囲雑音レベルとの組み合わせに基づく、その他の実施例１に記載の装置。
[その他の実施例３]
前記動作条件は、前記周囲雑音レベルと、少なくとも１つの閾値雑音レベルとの比較に基づく、その他の実施例２に記載の装置。
[その他の実施例４]
前記動作条件は、信号対雑音比（ＳＮＲ）に基づく、その他の実施例１に記載の装置。
[その他の実施例５]
オーディオ・ストリームにおける１つ又は複数の境界を検出するように構成された検出器
を更に備え、
前記セレクタは更に、前記境界のうちの１つにおいて前記第１のオーディオ・コーデックに切り換えるように構成された、その他の実施例１に記載の装置。
[その他の実施例６]
前記境界は、サイレンス期間を含む、その他の実施例５に記載の装置。
[その他の実施例７]
前記動作条件を別のデバイスへ転送するように構成された、前記デバイス内に含まれるインタフェースを更に備える、その他の実施例１に記載の装置。
[その他の実施例８]
前記センサ及び前記セレクタは前記デバイス内に含まれる、その他の実施例１に記載の装置。
[その他の実施例９]
前記センサは前記デバイス内に含まれ、前記セレクタは無線通信デバイス内に含まれる、その他の実施例１に記載の装置。
[その他の実施例１０]
前記デバイスは無線ヘッドセットである、その他の実施例１に記載の装置。
[その他の実施例１１]
デバイスの少なくとも１つの動作条件を決定することと、
前記動作条件に基づいて前記デバイスのための第１のオーディオ・コーディング処理を選択することと
を備え、前記第１のオーディオ・コーディング処理は、前記デバイスにおけるオーディオ処理中、第２のオーディオ・コーディング処理よりも少ない電力を消費する方法。
[その他の実施例１２]
バッテリ・エネルギ残量を測定することを更に備え、前記動作条件は、前記バッテリ・エネルギ残量に基づく、その他の実施例１１に記載の方法。
[その他の実施例１３]
周囲雑音レベルを測定することを更に備え、前記動作条件は、前記周囲雑音レベルに基づく、その他の実施例１１に記載の方法。
[その他の実施例１４]
バッテリ・エネルギ残量を測定することと、
周囲雑音レベルを測定することと
を更に備え、前記動作条件は、前記バッテリ・エネルギ残量と前記周囲雑音レベルとに基づく、その他の実施例１１に記載の方法。
[その他の実施例１５]
周囲雑音レベルを測定することと、
オーディオ信号を測定することと
を更に備え、前記動作条件は、前記オーディオ信号と前記周囲雑音レベルとの信号対雑音比（ＳＮＲ）に基づく、その他の実施例１１に記載の方法。
[その他の実施例１６]
オーディオ・ストリームにおける１つ又は複数の境界を検出することと、
前記境界のうちの１つにおいて前記第１のオーディオ・コーデックに切り換えることと
を更に備える、その他の実施例１１に記載の方法。
[その他の実施例１７]
前記境界はサイレンス期間を含む、その他の実施例１６に記載の方法。
[その他の実施例１８]
前記デバイスから別のデバイスへ前記動作条件を転送することを更に備える、その他の実施例１１に記載の方法。
[その他の実施例１９]
前記デバイスは無線ヘッドセットである、その他の実施例１１に記載の方法。
[その他の実施例２０]
デバイスにおける周囲雑音レベルを決定するための手段と、
前記周囲雑音レベルに基づいて、複数のオーディオ・コーディング・スキームから、前記デバイスのためのオーディオ・コーディング処理を選択するための手段と
を備える装置。
[その他の実施例２１]
デバイスのバッテリ・エネルギ残量を測定するための手段を更に備え、前記オーディオ・コーディング処理を選択することは、前記デバイスのバッテリ・エネルギ残量に基づく、その他の実施例２０に記載の装置。
[その他の実施例２２]
前記周囲雑音レベルを測定するための手段を更に備える、その他の実施例２０に記載の装置。
[その他の実施例２３]
デバイスのバッテリ・エネルギ残量を測定するための手段と、
前記周囲雑音レベルを測定するための手段と
を更に備え、前記オーディオ・コーディング処理を選択することは、前記デバイスのバッテリ・エネルギ残量と前記周囲雑音レベルとに基づく、その他の実施例２０に記載の装置。
[その他の実施例２４]
前記周囲雑音レベルを測定するための手段と、
オーディオ信号を測定するための手段と
を更に備え、前記オーディオ・コーディング処理を選択することは、前記オーディオ信号と前記周囲雑音レベルとの信号対雑音比（ＳＮＲ）に基づく、その他の実施例２０に記載の装置。
[その他の実施例２５]
オーディオ・ストリームにおける１つ又は複数の境界を検出するための手段と、
前記境界のうちの１つにおいて第１のオーディオ・コーデックに切り換えるための手段と
を更に備える、その他の実施例２０に記載の装置。
[その他の実施例２６]
前記境界はサイレンス期間を含む、その他の実施例２５に記載の装置。
[その他の実施例２７]
前記デバイスから別のデバイスへ前記周囲雑音レベルを転送するための手段を更に備える、その他の実施例２０に記載の装置。
[その他の実施例２８]
前記デバイスは無線ヘッドセットである、その他の実施例２０に記載の装置。
[その他の実施例２９]
１つ又は複数のプロセッサによって実行可能な命令のセットを組み込むコンピュータ読取可能媒体であって、
デバイスの少なくとも１つの動作条件を決定するためのコードと、
前記動作条件に基づいて前記デバイスのための第１のオーディオ・コーディング処理を選択するためのコードと
を備え、前記第１のオーディオ・コーディング処理は、前記デバイスにおけるオーディオ処理中、第２のオーディオ・コーディング処理よりも少ない電力を消費するコンピュータ読取可能媒体。
[その他の実施例３０]
バッテリ・エネルギ残量を測定するためのコードを更に備え、前記動作条件は、前記バッテリ・エネルギ残量に基づく、その他の実施例２９に記載のコンピュータ読取可能媒体。
[その他の実施例３１]
周囲雑音レベルを測定するためのコードを更に備え、前記動作条件は、前記周囲雑音レベルに基づく、その他の実施例２９に記載のコンピュータ読取可能媒体。
[その他の実施例３２]
バッテリ・エネルギ残量を測定するためのコードと、
周囲雑音レベルを測定するためのコードと
を更に備え、前記動作条件は、前記バッテリ・エネルギ残量と前記周囲雑音レベルとに基づく、その他の実施例２９に記載のコンピュータ読取可能媒体。
[その他の実施例３３]
周囲雑音レベルを測定するためのコードと、
オーディオ信号を測定するためのコードと
を更に備え、前記動作条件は、前記オーディオ信号と前記周囲雑音レベルとの信号対雑音比（ＳＮＲ）に基づく、その他の実施例２９に記載のコンピュータ読取可能媒体。
[その他の実施例３４]
オーディオ・ストリームにおける１つ又は複数の境界を検出するためのコードと、
前記境界のうちの１つにおいて前記第１のオーディオ・コーデックに切り換えるためのコードと
を更に備える、その他の実施例２９に記載のコンピュータ読取可能媒体。
[その他の実施例３５]
前記境界はサイレンス期間を含む、その他の実施例３４に記載のコンピュータ読取可能媒体。
[その他の実施例３６]
前記デバイスから別のデバイスへ前記動作条件を転送するためのコードを更に備える、その他の実施例２９に記載のコンピュータ読取可能媒体。
[その他の実施例３７]
前記デバイスは無線ヘッドセットである、その他の実施例２９に記載のコンピュータ読取可能媒体。
【国際調査報告】
2012516471.tif 000018
2012516471.tif 000019
2012516471.tif 000020
2012516471.tif 000021
2012516471.tif 000022